(57)【特許請求の範囲】
【請求項１】
撮影レンズを介した光を所定方向に導くミラーと、
前記ミラーを保持し、前記光から前記ミラーを退避させた第１の位置と該ミラーにより前記光が前記所定方向に導かれる第２の位置との間を変位可能な保持部材と、
前記保持部材に設けられたＵ字形状の溝と、
前記保持部材が前記第２の位置へ移行した際に、前記Ｕ字形状の溝の内壁の両側と接触することにより前記保持部材を前記第２の位置に規制する規制部材とを具備し、
前記保持部材は、前記第１の位置から第３の位置を通過して第２の位置へ移行し、前記第１の位置から前記第３の位置に移行するまでは前記規制部材は前記Ｕ字形状の溝外にあり、前記第３の位置において前記Ｕ字形状の溝の内壁の一方の壁と前記規制部材とが接触し、前記第３の位置から前記第２の位置に移行する際に前記Ｕ字形状の溝内に前記規制部材が導かれることを特徴とするミラーバウンド防止装置。
【請求項２】
請求項１に記載のミラーバウンド防止装置において、
前記Ｕ字形状の溝の２つの先端部の、該溝の深さ方向とほぼ平行な方向の長さを異ならしめたことを特徴とするミラーバウンド防止装置。
【請求項３】
請求項１に記載のミラーバウンド防止装置において、
前記Ｕ字形状の溝の２つの先端部のうち、少なくとも一方の先端部を、先端側に進む程溝幅が広くなるように構成したことを特徴とするミラーバウンド防止装置。
【請求項４】
請求項１に記載のミラーバウンド防止装置はさらに、
前記保持部材の前記第２の位置への移動軌跡を定義する定義手段を有し、該定義手段は、前記Ｕ字形状の溝と前記規制部材とを係合せしめるように、該保持部材の前記軌跡を定義することを特徴とするミラーバウンド防止装置。
【請求項５】
請求項４に記載のミラーバウンド防止装置において、
前記定義部材は、前記保持部材上に設けられたカム溝であることを特徴とするミラーバウンド防止装置。
【請求項６】
請求項１に記載のミラーバウンド防止装置において、
前記ミラーは、前記光を撮像装置下部に配設された素子に導くサブミラーであることを特徴とするミラーバウンド防止装置。
【請求項７】
撮影レンズを介した光を所定方向に導くミラーと、
前記ミラーを保持し、前記光から前記ミラーを退避させた第１の位置と該ミラーにより前記光が前記所定方向に導かれる第２の位置との間を変位可能な保持部材と、
前記保持部材が第２の位置にある際に前記保持部材と接触することにより、該保持部材を前記第２の位置で規制する第１規制部材および第２の規制部材とを具備し、
前記保持部材は、前記第１の位置から第２の位置へ変位する際に、前記第１規制部材と前記第２規制部材との間に挿入され、
前記第１規制部材および前記第２規制部材は、お互いの位置関係が調整可能であり、少なくとも前記保持部材が変位する際は調整位置に固定されていることを特徴とするミラーバウンド防止装置。
【請求項８】
請求項７に記載のミラーバウンド防止装置において、
前記保持部材の前記所定位置への移動軌跡を定義する定義手段を有し、該定義部材は、前記第１規制部材と前記第２規制部材との間に前記保持部材を進入せしめるように、前記保持部材の前記軌跡を定義することを特徴とするミラーバウンド防止装置。
【請求項９】
請求項７に記載のミラーバウンド防止装置において、
前記ミラーは、前記光を撮像装置下部に配設された素子に導くサブミラーであることを特徴とするミラーバウンド防止装置。
【発明の詳細な説明】
【０００１】
【発明の属する技術分野】
本発明は、クイックリターン方式のミラーを採用する撮像装置（例えばカメラ）において、ミラーダウン時のミラーのバウンド現象を減少させるミラーバウンド防止装置に関するものである。
【０００２】
【従来の技術】
図１１は、一眼レフレックスカメラの中央断面図である。カメラボディ１００に装着されたレンズ１０１から入った光線１０２は、主ミラー１によって上方に反射され、接眼レンズ部１０４へと導かれる。主ミラー１は半透過部を有し、光線１０２の一部１０２ａは主ミラーの半透過部を通りサブミラー２によって反射されてカメラボディ下部の測距素子１０３へと導かれる。
【０００３】
主ミラー１は、主ミラー保持枠２０２に固定されている。保持枠２０２は穴２０５を有し、不図示のカメラ本体にある回転軸によって回転可能に軸支されている。保持枠２０２には、軸２０６およびピン２０７〜２０８が固定されている。
【０００４】
ピン２１９は、不図示のカメラに固定されている。偏心ピン２２０および２２２は、不図示のカメラ本体に回転調整可能に取り付けられている。サブミラー２は、サブミラー保持枠２１２に固定されている。サブミラー保持枠２１２は、軸２０６の回りに回転可能に軸支されている。ピン２１５は、サブミラー保持枠２１２に固定されており、トグルバネ２１６はピン２１５とピン２０７の間に掛けられており、サブミラー保持枠２１２を偏心ピン２２０に付勢している。ミラー戻しバネ２３０は、ピン２０８と不図示のボディに固定されたピン２０９に掛けられており、ミラー保持枠２０２を偏心ピン２２２に付勢している。
【０００５】
次に、従来技術の作動を説明する。公知の方法によって露出が完了すると、主ミラー保持枠２０２は、ミラー戻しバネ２３０の付勢力によって穴２０５の回りに反時計周りに復帰してくる。そしてサブミラー保持枠２１２と偏心ピン２２０が衝突し、主ミラー保持枠２０２と偏心ピン２２２が衝突する。
【０００６】
【発明が解決しようとする課題】
上記のごとき従来の技術では、サブミラー保持枠２１２と偏心ピン２２０の衝突時に、その衝撃でサブミラー保持枠２１２が反時計方向にバウンドする。サブミラー保持枠２１２のバウンド中は、測距素子１０３へ向かう光軸１０２ａの方向や光路長さが変化してしまい正確な測距が行えないため、測距開始のタイミングはバウンド収束後となる。これが、オートフォーカスで被写体を追尾しながらの連続撮影において、単位時間当たりの撮影枚数を制限する原因の一つとなっていた。
【０００７】
本発明は、上記の問題点に鑑みてなされたもので、ミラーダウン時のサブミラーのバウンド時間を短縮することで測距開始を早め、これによってオートフォーカスで被写体を追尾しながらの連続撮影において単位時間当たりの撮影枚数を多くすることを目的とする。
【０００８】
【課題を解決するための手段】
この目的達成するために、請求項１の発明によるミラーバウンド防止装置は、撮影レンズを介した光を所定方向に導くミラーと、
前記ミラーを保持し、前記光から前記ミラーを退避させた第１の位置と該ミラーにより前記光が前記所定方向に導かれる第２の位置との間を変位可能な保持部材と、
前記保持部材に設けられたＵ字形状の溝と、
前記保持部材が前記第２の位置へ移行した際に、前記Ｕ字形状の溝の内壁の両側と接触することにより前記保持部材を前記第２の位置に規制する規制部材とを具備し、
前記保持部材は、前記第１の位置から第３の位置を通過して第２の位置へ移行し、前記第１の位置から前記第３の位置に移行するまでは前記規制部材は前記Ｕ字形状の溝外にあり、前記第３の位置において前記Ｕ字形状の溝の内壁の一方の壁と前記規制部材とが接触し、前記第３の位置から前記第２の位置に移行する際に前記Ｕ字形状の溝内に前記規制部材が導かれる。
【０００９】
この目的達成するために、請求項７の発明によるミラーバウンド防止装置は、撮影レンズを介した光を所定方向に導くミラーと、前記ミラーを保持し、前記光から前記ミラーを退避させた第１の位置と該ミラーにより前記光が前記所定方向に導かれる第２の位置との間を変位可能な保持部材と、前記保持部材が第２の位置にある際に前記保持部材と接触することにより、該保持部材を前記第２の位置で規制する第１規制部材および第２の規制部材とを具備し、前記保持部材は、前記第１の位置から第２の位置へ変位する際に、前記第１規制部材と前記第２規制部材との間に挿入され、前記第１規制部材および前記第２規制部材は、お互いの位置関係が調整可能であり、少なくとも前記保持部材が変位する際は調整位置に固定される。
【００１０】
【発明の実施の形態】
以下、本発明の実施の形態を図面に基づいて説明する。
【００１１】
図１は、本発明によるミラーバウンド防止装置の第１実施例を示す断面図である。
【００１２】
図１において、カメラボディ１００に装着されたレンズ１０１から入った光線１０２は、主ミラー１によって上方に反射され、接眼レンズ部１０４へと導かれる。主ミラー１は半透過部を有し、光線１０２の一部１０２ａは主ミラーの半透過部を通り、サブミラー２によって反射されカメラボディ下部の測距素子１０３へと導かれる。
【００１３】
主ミラー１は主ミラー保持枠２０２に固定されている。保持枠２０２は穴２０５を有し、不図示のカメラ本体にある回転軸によって回転可能に軸支されており保持枠２０２には軸２０６およびピン２０７〜２０８が固定されている。
【００１４】
ピン２１９は不図示のカメラに固定されている。偏心ピン２２２は、不図示のカメラ本体に回転調整可能に取り付けられている。サブミラー２は、サブミラー保持枠２１２に固定されている。サブミラー保持枠２１２は、軸２０６の回りに回転可能に軸支されている。サブミラー保持枠２１２は、その先端部にキャッチピン３０１と嵌合するＵ字形状の溝部２１２ａを有している。ピン２１５は、サブミラー保持枠２１２に固定されている。トグルバネ２１６は、ピン２１５とピン２０７の間に掛けられており、図１の撮影待機状態ではサブミラー保持枠２１２を反時計周りにキャッチピン３０１に付勢している。ミラー戻しバネ２３０は、ピン２０８と不図示のボディに固定されたピン２０９に掛けられており、ミラー保持枠２０２を反時計回りに偏心ピン２２２に付勢している。
【００１５】
次に、本発明の実施例の作動を説明する。公知の方法によって露出が完了すると、主ミラー保持枠２０２はミラー戻しバネ２３０の付勢力によって穴２０５の回りに反時計周りに復帰してくる。そしてサブミラー保持枠２１２も、測距素子１０３に光線を導く位置に復帰してくる。その復帰過程でサブミラー保持枠２１２の先端部のＵ字形状部２１２ａが、キャッチピン３０１に嵌合し、その後主ミラー保持枠２０２と偏心ピン２２２が衝突し、主ミラー１およびサブミラー２が正規の撮影待機状態に復帰する。
【００１６】
図２は、図１に示した本発明のミラー系部分を斜視図で示したものである。キャッチピン３０１は、キャッチレバー３０２に固定されている。キャッチレバー３０２は、不図示のボディに固定された軸３０３の回りに、回転可能に取り付けられている。キャッチレバー３０２は、その一端にばね３０７が掛けられている。バネ３０７の他端は不図示のボディに取り付けられており、不図示のボディに回転可能に取り付けられた偏心ピン３０４にキャッチレバー３０２を付勢している。
【００１７】
偏心ピン３０４を回転させると、キャッチレバー３０２およびキャッチピン３０１の位置は軸３０３を中心に変化し、キャッチピン３０１に嵌合しているサブミラー保持枠２１２の光軸に対する角度が調整可能となる。
【００１８】
図３〜図５は、サブミラー保持枠２１２が撮影終了後、撮影待機状態に復帰運動する行程の一部を示したものであり、復帰は図３〜図５の順で進み、図５は完全に復帰した状態を示す。
【００１９】
図３〜図５に示すように、サブミラー保持枠２１２のＵ字型形状部２１２ａは、２つの端部２１２ｂおよび２１２ｃを有する。端部２１２ｃは、復帰途中にキャッチピン３０１に干渉しない形状である。図３〜図５で、サブミラー保持枠２１２の端部２１２ｂは、そのとば口がＵ字型形状出口に向かって広がっている。
【００２０】
カム形状２１２ｄは、トグルバネ２１６の付勢力が無くとも、キャッチピン３０１が端部２１２ｃに干渉せずに、Ｕ字型形状部２１２ａに十分係合可能な形状となっている。
【００２１】
図６は、本発明の第２実施例を示す断面図である。図６中のトグルバネ２１６はピン２１５とピン２０７の間に掛けられており、撮影待機状態ではサブミラー保持枠２１２を反時計周りに偏心ピン３１０に付勢している。偏心ピン３１０を回転させることによりサブミラー保持枠２１２の光軸に対する角度調整が可能である。サブミラー保持枠２１２の角度調整後に、偏心ピン３１１を図７に示すようにサブミラー保持枠２１２の偏心ピン３１０が接している面とは反対の面に接する、若しくは非常に接近する位置まで回転調整する。
【００２２】
図８〜図１０は、サブミラー保持枠２１２が撮影終了後に、撮影待機状態に復帰運動する行程の一部を示したものであり、復帰は図８〜図１０の順で進み、図１０は完全に復帰した状態を示す。図８〜図１０に示すように、偏心ピン３１０および３１１は、サブミラー保持枠２１２の復帰行程において、偏心ピン３１０にサブミラー保持枠２１２が衝突するまで偏心ピン３１１に触れない位置関係となっている。またサブミラー保持枠２１２のカム形状２１２ｄは、トグルバネ２１６の付勢力が無くとも、復帰行程においてサブミラー枠２１２が偏心ピン３１０に衝突するまで、偏心ピン３１１に触れない形状となっている。
【００２３】
なお、上述した第１実施例では、サブミラー保持枠２１２にＵ字型形状部２１２ａを形成し、キャッチピン３０１をボディに固定するものとして説明したが、Ｕ字型形状部２１２ａをボディに固定し、サブミラー保持枠２１２にキャッチピン３０１を設けるようにしてもよい。
【００２４】
また、上述した第２実施例では、２本の偏心ピン３１０および３１１を用いた場合について説明したが、２個のローラーとすることもできる。更に、３個以上のローラーで構成することもできる。
【００２５】
【発明の効果】
以上本発明を用いた実施例を述べてきたが、上記第１実施例では、サブミラー保持枠２１２が撮影終了後の撮影待機状態に復帰した際に、サブミラー保持枠２１２のＵ字型形状部２１２ａとキャッチピン３０１が嵌合し、復帰時の衝突によって生じるバウンドを抑制することで、オートフォーカスの測距開始を早めることが可能となり、被写体を追尾しながらの連続撮影において単位時間当たりの撮影枚数を多くすることが可能となる。また、カム形状２１２ｄを、トグルバネ２１６の付勢力が無くとも、キャッチピン３０１が端部２１２ｃに干渉せずにＵ字型形状部２１２ａに係合可能な形状としたため、トグルバネ２１６のバネ力の管理が不要となるため、コストダウンになり、また動作の安定化を図ることが可能となる。また、図１１に示した従来例に対して、大きな部品点数の増加が生じないために、従来製品に対してスペースの制約を生じることもない。更にサブミラー保持枠２１２のＵ字型形状部２１２ａの端部２１２ｂのとば口をＵ字型形状出口に向かって広げたため、キャッチピン３０１にＵ字型形状部２１２ａがなめらか且つ確実な係合が可能となる。
【００２６】
第２実施例でもまた、サブミラー保持枠２１２が偏心ピン３１０および３１１に挟み込まれることで、復帰時の衝突によって生じるバウンドが抑制され、オートフォーカスの測距開始を早めることが可能となり、被写体を追尾しながらの連続撮影において単位時間当たりの撮影枚数を多くすることが可能となる。また、カム形状２１２ｄを、トグルバネ２１６の付勢力が無くとも、復帰行程においてサブミラー枠２１２が偏心ピン３１０に衝突するまで、偏心ピン３１１に触れない形状としたため、トグルバネ２１６のバネ力の管理が不要となるため、コストダウンとなり、動作の安定化を図ることが可能となる。また、図１１に示した従来例に対して、大きな部品点数の増加が生じないために、従来製品に対してスペースの制約を生じることもない。
【図面の簡単な説明】
【図１】本発明によるミラーバウンド防止装置の第１実施例を示す断面図である。
【図２】本発明によるミラーバウンド防止装置の第１実施例を示す斜視図である。
【図３】本発明によるミラーバウンド防止装置の第１実施例を示す平面図である。
【図４】本発明によるミラーバウンド防止装置の第１実施例を示す平面図である。
【図５】本発明によるミラーバウンド防止装置の第１実施例を示す平面図である。
【図６】本発明によるミラーバウンド防止装置の第２実施例を示す断面図である。
【図７】本発明によるミラーバウンド防止装置の第２実施例を示す平面図である。
【図８】本発明によるミラーバウンド防止装置の第２実施例を示す平面図である。
【図９】本発明によるミラーバウンド防止装置の第２実施例を示す平面図である。
【図１０】本発明によるミラーバウンド防止装置の第２実施例を示す平面図である。
【図１１】従来のミラーバウンド防止装置の一例を示す断面図である。
【符号の説明】
１      主ミラー
２      サブミラー
１００  カメラボディ
１０１  レンズ
１０２  光線
１０３  測距素子
２０２  主ミラー保持枠
２０５  回転軸用穴
２０６  サブミラー軸
２０７  トグルバネかけピン
２０８  ダウンバネかけピン
２０９  ダウンバネかけピン
２１２  サブミラー保持枠
２１５  トグルバネかけピン
２１６  トグルバネ
２１９  転向ピン
２２０  偏心ピン
２２２  偏心ピン
３０１  キャッチピン
３０２  キャッチレバー
３０３  回転軸
３０４  偏心ピン
３０５  バネかけ
３０６  ミラーボックス
３０７  バネ
３１０  偏心ピン
３１１  偏心ピン
【図１】
0003900551.tif 000002
【図２】
0003900551.tif 000003
【図３】
0003900551.tif 000004
【図４】
0003900551.tif 000005
【図５】
0003900551.tif 000006
【図６】
0003900551.tif 000007
【図７】
0003900551.tif 000008
【図８】
0003900551.tif 000009
【図９】
0003900551.tif 000010
【図１０】
0003900551.tif 000011
【図１１】
0003900551.tif 000012